(57)【要約】【課題】家庭内に複数設置された録画再生装置には、各ユーザが個々に録画予約するため、同じ番組を複数の録画再生装置で重複して録画する等の無駄が存在する。【解決手段】１台以上の録画再生装置１０１〜１０４と各録画再生装置の録画予約を管理する録画予約装置１００からなる。録画予約装置１００は、各録画再生装置の空き容量や録画予約等の動作状況を監視し、録画再生装置情報として管理する。ユーザ入力または各録画再生装置からの録画予約要求に対し、最適な録画再生装置を選定して録画予約を指示する。録画再生装置１０２〜１０４は、録画予約装置１００が一元的に管理する録画管理情報に基づき、予約録画、再生処理、削除処理が実行される。【選択図】図１
2007173918.tif 000002
【特許請求の範囲】
【請求項１】
少なくとも１つ以上の録画再生装置と前記録画再生装置の録画予約を管理する録画予約装置とからなる録画予約システムであって、
前記録画予約装置は、
前記録画再生装置の記録媒体の空き容量や録画予約等の動作状況を監視し、録画再生装置情報として管理する録画再生装置管理手段と、
前記録画再生装置との通信を行うネットワーク通信手段と、
ユーザからの入力を受け付ける入力手段と、
ユーザ入力又は前記録画再生装置からの録画予約要求に対し、前記録画再生装置情報を基に録画可能な録画再生装置を選定し、当該録画再生装置に録画予約を指示し、録画管理情報として管理する録画管理手段と、を備え、
前記録画再生装置は、
録画のための映像信号を受信する受信手段と、
前記録画予約装置との通信を行うネットワーク通信手段と、
ユーザ入力を受け付ける入力手段と、
番組情報を収集する番組情報収集手段と、
ユーザに前記番組情報を開示し、ユーザからの録画予約を受付け、当該録画予約情報を前記録画予約装置に通知する録画予約通知手段と、
前記録画予約装置からの機器状態の問い合わせに応答する機器状態問合せ応答手段と、
前記録画予約装置からの録画予約指示により、当該録画予約情報を保存し、録画予約を行うリモート録画予約受付手段と、
録画予約された番組を指定時間に録画モード等の指定条件で録画する番組録画手段と、
録画された番組を再生する番組再生手段と、を備えることを特徴とする録画予約システム。
【請求項２】
前記録画再生装置は、番組情報を自ら取得せず前記録画予約装置に問い合わせ、ユーザに開示する番組情報収集手段を備え、
前記録画予約装置は、インターネットやテレビ放送波等から番組情報を収集し、前記録画再生装置からの番組情報取得要求に応答する番組情報収集手段を備えることを特徴とする請求項１記載の録画予約システム。
【請求項３】
前記録画再生装置は、録画予約システム内の録画再生装置で録画予約されたすべての番組情報の取得を前記録画予約装置に要求する録画番組リスト取得手段を備えることを特徴とする請求項１記載の録画予約システム。
【請求項４】
前記録画再生装置は、録画予約システム内の録画再生装置で録画されたすべての番組情報の取得を前記録画予約装置に要求する録画番組リスト取得手段を備えることを特徴とする請求項１記載の録画予約システム。
【請求項５】
前記録画予約装置は、録画予約システム内の録画再生装置で録画予約されたすべての番組情報を管理し、前記録画再生装置からの録画予約された番組情報取得要求に対して当該番組情報を送信する録画管理手段を備えることを特徴とする請求項１記載の録画予約システム。
【請求項６】
前記録画予約装置は、録画予約システム内の録画再生装置で録画済みの番組リストを管理し、録画再生装置からの録画済み番組情報取得要求に対して当該録画済み番組情報を送信する録画管理手段を備えることを特徴とする請求項１記載の録画予約システム。
【請求項７】
前記録画再生装置は、録画予約装置から取得した録画済み番組情報からユーザが視聴を所望する番組が当該録画再生装置で録画されている場合に、当該録画番組を再生する番組再生手段を備えることを特徴とする請求項１記載の録画予約システム。
【請求項８】
前記録画再生装置は、録画予約装置から取得した録画済み番組情報からユーザが所望する番組が他の録画再生装置で録画されている場合、録画を行った録画再生装置に対してストリーミング再生のために番組データ取得を要求するストリーミングデータ要求手段と、当該要求に応答し、番組データを送信するストリーミングデータ応答手段と、を備えることを特徴とする請求項１記載の録画予約システム。
【請求項９】
前記録画予約装置は、番組情報等を基に番組放送の時間延長等の放送時間変更を検出する番組情収集手段と、当該番組の録画予約された録画再生装置に対して、時間変更を指示し、録画予約情報を更新する録画管理手段と、を備えることを特徴とする請求項２記載の録画予約システム。
【請求項１０】
前記録画予約装置は、番組情報等を基に番組放送の時間延長等の放送時間変更を検出し、当該番組の録画予約された録画再生装置の記録媒体の空き容量が少ない場合、あるいは延長時間に既に録画予約がある場合は、当該録画再生装置の録画予約をキャンセルし、当該番組を録画するに必要な空き容量を持つ録画再生装置を前記録画再生機器情報から選定し、当該録画再生装置に録画予約を行い、録画管理情報を更新する録画管理手段を備えることを特徴とする請求項９記載の録画予約システム。
【請求項１１】
前記録画予約装置は、番組情報等を基に延長等の放送時間変更を検出し、当該番組の録画予約を行う録画再生装置の記録媒体の空き容量が少なく、更に他の録画再生装置においても当該番組を録画する空き容量がない場合、前記録画再生装置情報を基に複数の録画再生装置の空き容量を合算し、当該番組の録画に必要な空き容量を確保できた場合、複数の録画再生装置でリレー録画を行うために複数の録画再生装置に録画予約を行い、録画管理情報を更新する録画管理手段を備えることを特徴とする請求項９記載の録画予約システム。
【請求項１２】
前記録画予約装置は、録画予約を行う際、当該番組を録画するに必要な容量と比較して個々の録画再生装置の記録媒体の空き容量が少ない場合、前記録画再生装置情報を基に複数の録画再生装置の空き容量を合算し、当該番組の録画に必要な空き容量を確保できた場合、複数の録画再生装置でリレー録画を行うために複数の録画再生装置に録画予約を行い、録画管理情報を更新する録画管理手段を備えることを特徴とする請求項１記載の録画予約システム。
【請求項１３】
前記録画再生装置は、リレー録画された番組を再生する際、録画予約装置から取得した録画管理情報を基に、番組録画した録画再生装置を録画順にアクセスする番組再生手段を備えることを特徴とする請求項１１または１２に記載の録画予約システム。
【請求項１４】
前記録画予約装置は、録画予約を制御する録画再生装置を識別するため、録画再生装置のＭＡＣアドレス等を登録し、当該録画再生装置識別情報を管理する機器登録認証手段を備えることを特徴とする請求項１記載の録画予約システム。
【請求項１５】
前記録画予約装置は、ＬＡＮ等の通信手手段を介した録画再生装置からアクセスに対し、当該録画再生装置のＭＡＣアドレス等の識別情報が録画再生装置識別情報に含まれているか調べ、含まれていればアクセスを許可する機器登録認証手段を備えることを特徴とする請求項１記載の録画予約システム。
【請求項１６】
前記録画再生装置は、録画予約を指示する録画予約装置を識別するため、録画予約装置のＭＡＣアドレス等を登録し、当該録画予約装置識別情報を管理する録画予約装置登録認証手段を備えることを特徴とする請求項１５記載の録画予約システム。
【請求項１７】
前記録画予約装置登録認証手段は、ＬＡＮ等の通信手手段を介した録画予約装置からアクセスに対し、当該録画予約装置のＭＡＣアドレス等の識別情報が録画予約装置識別情報に含まれているか調べ、含まれていればアクセスを許可することを特徴とする請求項１６記載の録画予約システム。
【請求項１８】
前記録画予約装置は、少なくともユーザＩＤを含むユーザに関する情報の登録を促し、ユーザ情報をして管理するユーザ登録認証手段を備えることを特徴とする請求項１記載の録画予約システム。
【請求項１９】
前記録画予約装置は、録画再生装置からの録画予約を行う際、管理されているユーザ情報を基に、当該操作の可否を判断するユーザ登録認証手段を備えることを特徴とする請求項１記載の録画予約システム。
【請求項２０】
前記録画再生装置は、録画予約システムを利用するユーザ登録を行い、当該ユーザ情報を録画予約装置に送信し、ユーザ登録を行うユーザ登録認証手段を備えることを特徴とする請求項１記載の録画予約システム。
【請求項２１】
前記録画再生装置は、ユーザが録画予約システムを利用する際、ユーザＩＤ入力を促し、録画予約等の操作時に録画予約装置に当該ユーザＩＤ情報を送信し、ユーザ認証を行うユーザ登録認証手段を備えることを特徴とする請求項１記載の録画予約システム。
【請求項２２】
前記録画予約装置は、録画された番組の予約ユーザが当該番組を視聴した際、未視聴ユーザ数を１つ減らす録画管理手段を備えることを特徴とする請求項１記載の録画予約システム。
【請求項２３】
前記録画予約装置は、録画された番組の予約ユーザが当該番組を視聴した際、未視聴のユーザＩＤ等のユーザを識別する情報を削除する録画管理手段を備えることを特徴とする請求項１記載の録画予約システム。
【請求項２４】
前記録画予約装置は、録画予約された番組及び当該録画予約番組の予約ユーザ数を表示する録画管理手段を備えることを特徴とする請求項１記載の録画予約システム。
【請求項２５】
前記録画予約装置は、録画予約された番組及び当該録画予約番組の予約ユーザＩＤ等のユーザを特定する情報を表示する録画管理手段を備えることを特徴とする請求項１記載の録画予約システム。
【請求項２６】
前記録画再生装置は、録画予約された番組及び当該録画予約番組の予約ユーザ数を録画予約装置に問い合わせ、表示する録画管理手段を備えることを特徴とする請求項１記載の録画予約システム。
【請求項２７】
前記録画再生装置は、録画予約された番組及び当該録画予約番組の予約ユーザＩＤ等のユーザを特定する情報を録画予約装置に問い合わせ、表示する録画管理手段を備えることを特徴とする請求項１記載の録画予約システム。
【請求項２８】
前記録画予約装置は、録画済み番組及び当該番組の未視聴ユーザ数を表示する録画管理手段を備えることを特徴とする請求項１記載の録画予約システム。
【請求項２９】
前記録画予約装置は、録画済み番組及び当該番組の未視聴のユーザＩＤ等のユーザを特定する情報を表示する録画管理手段を備えることを特徴とする請求項１記載の録画予約システム。
【請求項３０】
前記録画再生装置は、録画された番組及び当該録画済み番組の未視聴ユーザ数を録画予約装置に問い合わせ、表示する録画管理手段を備えることを特徴とする請求項１記載の録画予約システム。
【請求項３１】
前記録画再生装置は、録画された番組及び当該録画済み番組の未視聴のユーザＩＤ等のユーザを特定する情報を録画予約装置に問い合わせ、表示する録画管理手段を備えることを特徴とする請求項１記載の録画予約システム。
【請求項３２】
前記録画予約装置は、ユーザ又は録画再生装置を介して録画済み番組の削除を指示された際、当該ユーザが録画予約を行ったユーザであり、且つ未視聴である場合は、当該録画済み番組の未視聴ユーザ数を１つ減らす録画管理手段を備えることを特徴とする請求項１記載の録画予約システム。
【請求項３３】
前記録画予約装置は、ユーザ又は録画再生装置を介して録画済み番組の削除を指示された際、当該ユーザが録画予約を行ったユーザであり、且つ未視聴である場合は、当該録画済み番組の未視聴ユーザＩＤ等ユーザを特定する情報を削除する録画管理手段を備えることを特徴とする請求項１記載の録画予約システム。
【請求項３４】
前記録画予約装置は、ユーザ又は録画再生装置を介して録画済み番組の削除を指示された際、当該録画済み番組の未視聴ユーザ数が０である場合、当該録画済み番組を削除する録画管理手段を備えることを特徴とする請求項１記載の録画予約システム。
【請求項３５】
前記録画予約装置は、ユーザ又は録画再生装置を介して録画済み番組の削除を指示された際、当該録画済み番組の未視聴ユーザＩＤ等ユーザを特定する情報がすべて削除されている場合、当該録画済み番組を削除する録画管理手段を備えることを特徴とする請求項１記載の録画予約システム。
【請求項３６】
前記録画予約装置は、他のユーザに対して録画予約情報及び録画済み番組情報を開示せずに録画予約を行う録画管理手段を備えることを特徴とする請求項１記載の録画予約システム。
【請求項３７】
前記録画再生装置は、録画予約装置が持つ機能を含むことを特徴とする請求項１記載の録画予約システム。
【発明の詳細な説明】
【技術分野】
【０００１】
本発明は、番組録画を行う録画再生装置と録画再生装置への録画予約を一括管理する録画予約装置からなる録画予約システムに関するものである。
【背景技術】
【０００２】
現在、大容量の記録媒体を持つＤＶＤ／ＨＤＤレコーダ等の録画再生装置が普及し、複数台所有する家庭も珍しくない。これらの録画再生装置へは、個々にＥＰＧ（電子番組ガイド）やＧコード、或いはマニュアル設定により番組が予約録画される。録画された番組は装置間で共有するためのガイドラインもＤＬＮＡ（Digital Living Network Alliance）等で検討され、このガイドラインに準拠した商品も発売されつつある。また、各録画再生装置に録画された番組から必要な番組を検索して、録画再生装置間で受け渡しを可能にする先行技術もある（特許文献１）。
【特許文献１】特開２００４−３２０４５５号公報
【発明の開示】
【発明が解決しようとする課題】
【０００３】
しかしながら、録画再生装置には、そのユーザが個々に録画予約するため、他の録画再生装置にどの番組が録画予約されたかが分からず、同じ番組を複数の録画再生装置に重複して録画され、無駄に録画再生装置のＨＤＤ等の記録媒体を消費していた。
【課題を解決するための手段】
【０００４】
上述した課題を解決するために本発明は、少なくとも１つ以上の録画再生装置と前記録画再生装置の録画予約を管理する録画予約装置とからなる録画予約システムであって、前記録画予約装置は、前記録画再生装置の記録媒体の空き容量や録画予約等の動作状況を監視し、録画再生装置情報として管理する録画再生装置管理手段と、前記録画再生装置との通信を行うネットワーク通信手段と、ユーザからの入力を受け付ける入力手段と、ユーザ入力又は前記録画再生装置からの録画予約要求に対し、前記録画再生装置情報を基に録画可能な録画再生装置を選定し、当該録画再生装置に録画予約を指示し、録画管理情報として管理する録画管理手段と、を備え、前記録画再生装置は、録画のための映像信号を受信する受信手段と、前記録画予約装置との通信を行うネットワーク通信手段と、ユーザ入力を受け付ける入力手段と、番組情報を収集する番組情報収集手段と、ユーザに前記番組情報を開示し、ユーザからの録画予約を受付け、当該録画予約情報を前記録画予約装置に通知する録画予約通知手段と、前記録画予約装置からの機器状態の問い合わせに応答する機器状態問合せ応答手段と、前記録画予約装置からの録画予約指示により、当該録画予約情報を保存し、録画予約を行うリモート録画予約受付手段と、録画予約された番組を指定時間に録画モード等の指定条件で録画する番組録画手段と、録画された番組を再生する番組再生手段と、を備える。
【０００５】
また、前記録画再生装置は、番組情報を自ら取得せず前記録画予約装置に問い合わせ、ユーザに開示する番組情報収集手段を備え、前記録画予約装置は、インターネットやテレビ放送波等から番組情報を収集し、前記録画再生装置からの番組情報取得要求に応答する番組情報収集手段を備えてもよい。
【０００６】
また、前記録画再生装置は、録画予約システム内の録画再生装置で録画予約されたすべての番組情報の取得を前記録画予約装置に要求する録画番組リスト取得手段を備えてもよい。
【０００７】
また、前記録画再生装置は、録画予約システム内の録画再生装置で録画されたすべての番組情報の取得を前記録画予約装置に要求する録画番組リスト取得手段を備えてもよい。
【０００８】
また、前記録画予約装置は、録画予約システム内の録画再生装置で録画予約されたすべての番組情報を管理し、前記録画再生装置からの録画予約された番組情報取得要求に対して当該番組情報を送信する録画管理手段を備えてもよい。
【０００９】
また、前記録画予約装置は、録画予約システム内の録画再生装置で録画済みの番組リストを管理し、録画再生装置からの録画済み番組情報取得要求に対して当該録画済み番組情報を送信する録画管理手段を備えてもよい。
【００１０】
また、前記録画再生装置は、録画予約装置から取得した録画済み番組情報からユーザが視聴を所望する番組が当該録画再生装置で録画されている場合に、当該録画番組を再生する番組再生手段を備えてもよい。
【００１１】
また、前記録画再生装置は、録画予約装置から取得した録画済み番組情報からユーザが所望する番組が他の録画再生装置で録画されている場合、録画を行った録画再生装置に対してストリーミング再生のために番組データ取得を要求するストリーミングデータ要求手段と、当該要求に応答し、番組データを送信するストリーミングデータ応答手段と、を備えてもよい。
【００１２】
また、前記録画予約装置は、番組情報等を基に番組放送の時間延長等の放送時間変更を検出する番組情収集手段と、当該番組の録画予約された録画再生装置に対して、時間変更を指示し、録画予約情報を更新する録画管理手段と、を備えてもよい。さらに、前記録画予約装置は、番組情報等を基に番組放送の時間延長等の放送時間変更を検出し、当該番組の録画予約された録画再生装置の記録媒体の空き容量が少ない場合、あるいは延長時間に既に録画予約がある場合は、当該録画再生装置の録画予約をキャンセルし、当該番組を録画するに必要な空き容量を持つ録画再生装置を前記録画再生機器情報から選定し、当該録画再生装置に録画予約を行い、録画管理情報を更新する録画管理手段を備えてもよい。
【００１３】
また、前記録画予約装置は、番組情報等を基に延長等の放送時間変更を検出し、当該番組の録画予約を行う録画再生装置の記録媒体の空き容量が少なく、更に他の録画再生装置においても当該番組を録画する空き容量がない場合、前記録画再生装置情報を基に複数の録画再生装置の空き容量を合算し、当該番組の録画に必要な空き容量を確保できた場合、複数の録画再生装置でリレー録画を行うために複数の録画再生装置に録画予約を行い、録画管理情報を更新する録画管理手段を備えてもよい。あるいは、前記録画予約装置は、録画予約を行う際、当該番組を録画するに必要な容量と比較して個々の録画再生装置の記録媒体の空き容量が少ない場合、前記録画再生装置情報を基に複数の録画再生装置の空き容量を合算し、当該番組の録画に必要な空き容量を確保できた場合、複数の録画再生装置でリレー録画を行うために複数の録画再生装置に録画予約を行い、録画管理情報を更新する録画管理手段を備えてもよい。さらに、前記録画再生装置は、リレー録画された番組を再生する際、録画予約装置から取得した録画管理情報を基に、番組録画した録画再生装置を録画順にアクセスする番組再生手段を備えてもよい。
【００１４】
また、前記録画予約装置は、録画予約を制御する録画再生装置を識別するため、録画再生装置のＭＡＣアドレス等を登録し、当該録画再生装置識別情報を管理する機器登録認証手段を備えてもよい。
【００１５】
また、前記録画予約装置は、ＬＡＮ等の通信手手段を介した録画再生装置からアクセスに対し、当該録画再生装置のＭＡＣアドレス等の識別情報が録画再生装置識別情報に含まれているか調べ、含まれていればアクセスを許可する機器登録認証手段を備えてもよい。さらに、前記録画再生装置は、録画予約を指示する録画予約装置を識別するため、録画予約装置のＭＡＣアドレス等を登録し、当該録画予約装置識別情報を管理する録画予約装置登録認証手段を備えてもよい。さらに、前記録画予約装置登録識別手段は、ＬＡＮ等の通信手手段を介した録画予約装置からアクセスに対し、当該録画予約装置のＭＡＣアドレス等の識別情報が録画予約装置識別情報に含まれているか調べ、含まれていればアクセスを許可してもよい。
【００１６】
また、前記録画予約装置は、少なくともユーザＩＤを含むユーザに関する情報の登録を促し、ユーザ情報をして管理するユーザ登録認証手段を備えてもよい。
【００１７】
また、前記録画予約装置は、録画再生装置からの録画予約を行う際、管理されているユーザ情報を基に、当該操作の可否を判断するユーザ登録認証手段を備えてもよい。
【００１８】
また、前記録画再生装置は、録画予約システムを利用するユーザ登録を行い、当該ユーザ情報を録画予約装置に送信し、ユーザ登録を行うユーザ登録認証手段を備えてもよい。
【００１９】
また、前記録画再生装置は、ユーザが録画予約システムを利用する際、ユーザＩＤ入力を促し、録画予約等の操作時に録画予約装置に当該ユーザＩＤ情報を送信し、ユーザ認証を行うユーザ登録認証手段を備えてもよい。
【００２０】
また、前記録画予約装置は、録画された番組の予約ユーザが当該番組を視聴した際、未視聴ユーザ数を１つ減らす録画管理手段を備えてもよい。
【００２１】
また、前記録画予約装置は、録画された番組の予約ユーザが当該番組を視聴した際、未視聴のユーザＩＤ等のユーザを識別する情報を削除する録画管理手段を備えてもよい。
【００２２】
また、前記録画予約装置は、録画予約された番組及び当該録画予約番組の予約ユーザ数を表示する録画管理手段を備えてもよい。
【００２３】
また、前記録画予約装置は、録画予約された番組及び当該録画予約番組の予約ユーザＩＤ等のユーザを特定する情報を表示する録画管理手段を備えてもよい。
【００２４】
また、前記録画再生装置は、録画予約された番組及び当該録画予約番組の予約ユーザ数を録画予約装置に問い合わせ、表示する録画管理手段を備えてもよい。
【００２５】
前記録画再生装置は、録画予約された番組及び当該録画予約番組の予約ユーザＩＤ等のユーザを特定する情報を録画予約装置に問い合わせ、表示する録画管理手段を備えてもよい。
【００２６】
また、前記録画予約装置は、録画済み番組及び当該番組の未視聴ユーザ数を表示する録画管理手段を備えてもよい。
【００２７】
また、前記録画予約装置は、録画済み番組及び当該番組の未視聴のユーザＩＤ等のユーザを特定する情報を表示する録画管理手段を備えてもよい。
【００２８】
また、前記録画再生装置は、録画された番組及び当該録画済み番組の未視聴ユーザ数を録画予約装置に問い合わせ、表示する録画管理手段を備えてもよい。
【００２９】
また、前記録画再生装置は、録画された番組及び当該録画済み番組の未視聴のユーザＩＤ等のユーザを特定する情報を録画予約装置に問い合わせ、表示する録画管理手段を備えてもよい。
【００３０】
また、前記録画予約装置は、ユーザ又は録画再生装置を介して録画済み番組の削除を指示された際、当該ユーザが録画予約を行ったユーザであり、且つ未視聴である場合は、当該録画済み番組の未視聴ユーザ数を１つ減らす録画管理手段を備えてもよい。
【００３１】
また、前記録画予約装置は、ユーザ又は録画再生装置を介して録画済み番組の削除を指示された際、当該ユーザが録画予約を行ったユーザであり、且つ未視聴である場合は、当該録画済み番組の未視聴ユーザＩＤ等ユーザを特定する情報を削除する録画管理手段を備えてもよい。
【００３２】
また、前記録画予約装置は、ユーザ又は録画再生装置を介して録画済み番組の削除を指示された際、当該録画済み番組の未視聴ユーザ数が０である場合、当該録画済み番組を削除する録画管理手段を備えてもよい。
【００３３】
また、前記録画予約装置は、ユーザ又は録画再生装置を介して録画済み番組の削除を指示された際、当該録画済み番組の未視聴ユーザＩＤ等ユーザを特定する情報がすべて削除されている場合、当該録画済み番組を削除する録画管理手段を備えてもよい。
【００３４】
また、前記録画予約装置は、他のユーザに対して録画予約情報及び録画済み番組情報を開示せずに録画予約を行う録画管理手段を備えてもよい。
【００３５】
また、前記録画再生装置は、録画予約装置が持つ機能を含めてもよい。
【発明の効果】
【００３６】
本発明の録画予約システムは、個々の録画再生装置に録画予約される録画予約情報をＬＡＮ等の通信手段を介して録画予約装置に通知し、録画予約装置はすべての録画再生装置のＨＤＤや光ディスク等の記録媒体の空き容量や録画予約情報を管理し、重複した録画予約要求に対しても最適な一台の録画再生装置を選択し、録画予約を行うことで録画再生装置全体の記録容量を有効に利用できるという利点がある。また、複数の録画再生装置への録画予約が必要な録画時間が重なる録画予約であっても、一つの録画再生装置から録画予約ができるという利点がある。
【発明を実施するための最良の形態】
【００３７】
以下に本発明の実施の形態にかかる録画予約システムについて、図面を参照して説明する。
【００３８】
（実施の形態）
図１は、本発明の実施の形態による録画予約システムの構成を示すブロック図である。同図において、１０１は録画予約装置、１０２、１０３、１０４は録画再生装置で、１０５のローカルエリアネットワーク（ＬＡＮ）であり、それぞれの装置はＬＡＮに接続されている。ここで、録画再生装置は、１つ以上接続されるものとする。
【００３９】
図２は、本実施の形態の録画予約システムにおける録画予約装置（図１中の録画予約装置１００）の構成を示す機能ブロック図である。同図において、２０１は録画予約装置、２０２は記憶媒体中に記憶される録画再生装置情報、２０３は録画再生装置管理手段、２０４は記憶媒体中に記憶される録画管理情報、２０５は録画管理手段、２０６は機器登録認証手段、２０７はユーザ登録認証手段、２０８は入力手段、２０９は番組情報収集手段、２１０はネットワーク通信手段である。
【００４０】
ここで、録画移再生装置管理手段２０３は、各録画再生装置の記録媒体（ＨＤＤ、光ディスク、半導体メモリなど）の空き容量や録画予約などの動作状況を管理し、録画再生装置情報２０２として管理する。また、録画管理手段２０５は、入力手段２０８または録画再生装置からの録画予約要求に対し、録画再生装置情報２０２を基に録画可能な録画再生装置を選定して録画予約を指示し、録画管理情報２０４として管理する。
【００４１】
図３は、本実施の形態の録画予約システムにおける録画再生装置（図１中の録画再生装置１０２〜１０４）の構成を示す機能ブロック図である。同図において、３０１は録画再生装置、３０２は入力手段、３０３は番組情報収集手段、３０４は録画予約通知手段、３０５は記憶媒体中に記憶される録画予約情報、３０６は機器状態問合せ応答手段、３０７はリモート録画予約受付手段、３０８は受信手段としてのチューナ、３０９は番組録画手段、３１０は録画番組リスト取得手段、３１１は記憶媒体中に記憶される録画済み番組データ、３１２はストリーミングデータ要求手段、３１３はストリーミングデータ応答手段、３１４はネットワーク通信手段、３１５は番組再生手段、３１６はＡＶ出力手段、３１７は録画予約装置登録認証手段、３１８はユーザ登録認証手段である。
【００４２】
ここで、録画予約通知手段３０４は、ユーザに番組情報を開示し、ユーザからの録画予約を受付け、録画予約情報２０５を録画予約装置２０１に通知する。また、機器状態問合せ応答手段３０６は、録画予約装置２０１からの機器状態の問合せに応答する。また、リモート録画予約受付手段３０７は、録画予約装置２０１からの録画予約指示により、録画予約情報３０５を保存し、録画予約を行なう。
【００４３】
録画予約システムにおいて、機器登録・認証、ユーザ登録・認証を行う手順を図２、図３を用いて説明する。
【００４４】
（機器登録・認証処理）
まず、機器登録、認証に関しては、録画予約装置２０１はユーザにより入力手段２０８を介して、機器登録を指示されると、機器登録認証手段２０６はユーザに登録機器の情報入力を促す。ユーザは、登録する録画再生装置のＭＡＣアドレス（メディア・アクセス・コントロール・アドレス）等の識別情報を、入力手段２０８を介して入力し、機器登録認証手段２０６は当該機器情報を登録、管理する。機器登録認証手段２０６は以後の録画再生装置からのアクセスがある場合には、登録した機器情報が存在するかを調べ、有ればアクセスを許可し、無ければアクセスを許可しない。
【００４５】
また、録画再生装置３０１の録画予約装置登録認証手段３１７で、録画予約を指示する録画予約装置２０１を識別するために、そのＭＡＣアドレス等を登録し、録画予約装置識別情報を管理する。そして、録画予約装置２０１からのアクセスに対して、ＭＡＣアドレス等の識別情報が録画予約装置識別情報に含まれているかを調べ、含まれていればアクセスを許可する。
【００４６】
また、ユーザ登録・認証に関しては、録画予約装置２０１はユーザにより入力手段２０８を介して、ユーザ登録を指示されると、ユーザ登録認証手段２０７はユーザにユーザＩＤ等のユーザ識別情報の入力を促す。ユーザは登録するユーザの識別情報を、入力手段２０８を介して入力し、ユーザ登録認証手段２０７は当該ユーザ情報を登録、管理する。ユーザ登録認証手段２０７は以後の入力手段２０８や録画再生装置３０１からの操作を行う場合、ユーザを識別する情報の入力を促し、入力された情報が登録されたユーザ情報に存在するかどうかを調べ、無ければ操作を拒否する。
【００４７】
ユーザ登録は録画再生装置３０１のユーザ登録認証手段３１８を介して同様に行うことができる。ユーザ登録認証手段３１８は入力されたユーザ情報を録画予約装置２０１のユーザ登録認証手段２０７に通知し、ユーザ登録認証手段２０７はそのユーザ情報を管理する。
【００４８】
（録画予約処理）
次に録画予約の処理手順に関して、図２、図３を用いて説明する。
【００４９】
録画再生装置３０１の番組情報収集手段３０３は、インターネットの番組情報サイト或いはテレビ放送波から番組情報を収集する。ユーザは番組情報表示を入力手段３０２から指示し、番組情報収集手段３０３は番組表を表示するためにＡＶ出力手段３１６にデータを出力する。ユーザは、表示された番組表から録画したい番組を選択し、入力手段３０２からの指示に基づき録画予約通知手段３０４は、ネットワーク通信手段３１４を介して録画予約装置２０１に録画予約要求を通知する。
【００５０】
番組情報収集手段３０３は番組情報を自ら取得せず、録画予約装置２０１に問い合わせて、得た情報をユーザに開示してもよい。また、録画番組リスト取得手段３１０は、各録画再生装置で録画予約された全ての番組情報を録画予約装置２０１に要求してもよい。
【００５１】
録画予約装置２０１は、ネットワーク通信手段２１０を介して、録画再生装置３０１からの録画予約要求を受け取る。録画予約装置２０１は、録画再生装置管理手順２０３により録画予約システム内の録画再生装置のＨＤＤ等の記録媒体の空き容量や録画再生の状況を監視し、常に録画再生装置の状況を録画再生機器情報２０２として保持している。録画予約装置２０１は、録画再生装置３０１から受け取った録画予約要求に対し、録画管理手段２０５で録画再生装置情報２０２を基に当該録画に最適な録画再生装置を選定し、当該録画再生装置に録画予約指示を出し、少なくとも、録画番組名、時間、録画品質、予約ユーザ名、録画予約した録画再生装置等を含む録画管理情報２０４として管理する。
【００５２】
また、録画管理手段２０５は、各録画再生装置で録画予約された全ての番組情報及び録画済みの番組リストを管理し、録画再生装置３０１からの録画予約された番組情報取得要求または録画済み番組情報取得要求に対して、該当する番組情報を送信してもよい。
【００５３】
録画予約装置２０１により録画予約指示された録画再生装置３０１は、リモート録画予約受付手段３０７により、指示された内容を録画予約情報３０５として管理する。番組録画手段３０９は、録画予約された時間にチューナ３０８を介して受信して番組の録画を開始し、録画済み番組データ３１１に記録する。また、録画完了を録画予約装置２０１に通知し、録画管理手段２０５は録画完了したことを録画管理情報２０４に保存する。
【００５４】
録画予約は録画再生装置３０１からだけでなく、録画予約装置２０１からもできる。番組情報収集手段２０９はインターネットの番組情報サイト等から番組情報を収集する。ユーザは番組情報表示を入力手段２０８から指示し、番組情報収集手段２０９は番組表を所定の表示手段（図示せず）に表示する。ユーザは録画したい番組を選択し、録画管理手段２０５に通知する。このとき、他のユーザの情報は表示されないので、ユーザ間のプライベートを守ることもできる。
【００５５】
（再生処理）
次に録画済み番組の再生手順に関して、図２、図３を用いて説明する。
【００５６】
録画再生装置３０１はユーザからの録画済み番組リストの取得のため、録画番組リスト取得手段３１０によりネットワークを介して、録画予約装置２０１の録画管理手段２０５に録画済み番組のリストを要求する。録画管理手段２０５は録画管理情報２０４に基づき録画済み番組リストを返信する。録画番組リスト取得手段３１０はユーザに録画済み番組リストを開示し、選択を促す。ユーザは所望の番組を入力手段３０２により選択する。番組再生手段３１５は、指定された録画番組の所在を録画予約装置２０１から得た録画済み番組リストから調べ、自録画再生装置内に記録されている場合は、その録画済み番組データ３１１から読み出し、ＡＶ出力３１６に出力する。他の録画再生装置に録画されている場合は、ストリーミングデータ要求手段３１２を介して、録画されている録画再生装置のストリーミングデータ応答手段３１３から番組データを取得する。番組再生手段３１５は取得したデータから逐次再生し、ＡＶ出力３１６に出力する。
【００５７】
（番組削除処理）
次に録画済み番組の削除手順に関して、図２、図３を用いて説明する。
【００５８】
録画予約装置２０１の録画管理手段２０５は、番組毎に録画予約を要求したユーザ数、ユーザ識別情報を管理する。録画再生装置３０１は番組再生手段３１５を介して録画済み番組視聴済み情報や削除要求を録画予約装置２０１の録画管理手段２０５に通知する。録画管理手段２０５は削除要求がある毎に録画済み番組のユーザ数を１つ減らし、０になった際に削除する。録画管理手段２０５はユーザ識別情報を管理しているため、どのユーザが未視聴か、削除要求を出していないかをユーザからの要求で表示する。
【００５９】
以上のように本実施の形態による録画予約システムによれば、録画予約装置１００で複数の録画再生装置における録画予約を一括管理し、複数の録画再生装置で同じ番組を重複して録画することを排除し、各録画再生装置の記録媒体を有効に利用することができる。
【００６０】
なお、録画予約装置２０１の番組情収集手段２０９は、番組情報等を基に番組放送の時間延長等の放送時間変更を検出し、録画管理手段２０５は、その番組の録画予約された録画再生装置に対して、時間変更を指示し、録画予約情報を更新するようにしてもよい。また、録画管理手段２０５は、番組情報等を基に番組放送の時間延長等の放送時間変更を検出し、当該番組の録画予約された録画再生装置の記録媒体の空き容量が少ない場合、あるいは延長時間に既に録画予約がある場合は、その録画再生装置の録画予約をキャンセルし、当該番組を録画するに必要な空き容量を持つ録画再生装置を録画再生機器情報２０２から選定し、当該録画再生装置に録画予約を行い、録画管理情報２０４を更新してもよい。または、録画管理手段２０５は、番組情報等を基に延長等の放送時間変更を検出し、当該番組の録画予約を行う録画再生装置の記録媒体の空き容量が少なく、更に他の録画再生装置においても当該番組を録画する空き容量がない場合、録画再生装置情報２０２を基に複数の録画再生装置の空き容量を合算し、当該番組の録画に必要な空き容量を確保できた場合、複数の録画再生装置でリレー録画を行うために複数の録画再生装置に録画予約を行い、録画管理情報２０４を更新するようにしてもよい。この場合、所定時間の重なりが生じるように録画予約するとよい。
【００６１】
また、録画管理手段２０５は、録画予約を行う際、当該番組を録画するに必要な容量と比較して個々の録画再生装置の記録媒体の空き容量が少ない場合、録画再生装置情報２０２を基に複数の録画再生装置の空き容量を合算し、当該番組の録画に必要な空き容量を確保できた場合、複数の録画再生装置でリレー録画を行うために複数の録画再生装置に録画予約を行い、録画管理情報２０４を更新してもよい。
【００６２】
また、番組再生手段３１５は、リレー録画された番組を再生する際、録画予約装置２０１から取得した録画管理情報２０４を基に、番組録画した録画再生装置を録画順にアクセスする。
【産業上の利用可能性】
【００６３】
本発明にかかる録画予約システムは、複数の録画再生装置に対する録画予約を一元的に録画予約装置で管理し調停するので各記録媒体の有効利用と重複動作を回避することがきるという効果を有し、ネットワークを利用した録画予約サービスにおいて、家庭内に設置される記録再生機器、サーバー機器、映像再生装置の種々の機器等として有用である。
【図面の簡単な説明】
【００６４】
【図１】本発明の実施の形態による録画予約システムの構成を示すブロック図
【図２】同録画予約システムの録画予約装置の構成を示す機能ブロック図
【図３】同録画予約システムの録画再生装置の構成を示す機能ブロック図
【符号の説明】
【００６５】
１０１、２０１    録画予約装置
１０２〜１０４、３０１    録画再生装置
１０５    ＬＡＮ
２０２    録画再生装置情報
２０３    録画再生装置管理手段
２０４    録画管理情報
２０５    録画管理手段
２０６    機器登録認証手段
２０７    ユーザ登録認証手段
２０８    入力手段
２０９    番組情報収集手段
２１０    ネットワーク通信手段
３０２    入力手段
３０３    番組情報収集手段
３０４    録画予約通知手段
３０５    録画予約情報
３０６    機器状態問合せ応答手段
３０７    リモート録画予約受付手段
３０８    チューナ
３０９    番組録画手段
３１０    録画番組リスト取得手段
３１１    録画済み番組データ
３１２    ストリーミングデータ要求手段
３１３    ストリーミングデータ応答手段
３１４    ネットワーク通信手段
３１５    番組再生手段
３１６    ＡＶ出力手段
３１７    録画予約装置登録認証手段
３１８    ユーザ登録認証手段
【図１】
2007173918.tif 000003
【図２】
2007173918.tif 000004
【図３】
2007173918.tif 000005